(57)【要約】  【課題】  チップコイルから成る電子部品の周囲の他の電子部品に誘導電流等を生じさせて悪影響を与えることを抑制して、電子部品の周囲に密集させて他の電子部品を実装することができ、また、コイルパターンによって発生した交流磁界による磁束が結果的に信号伝送線路にノイズとして重畳されることを抑制すること。  【解決手段】  電子部品の実装構造は、絶縁基板の内部に信号伝送線路が形成されている回路基板２の主面上にチップコイルから成る電子部品１が実装されており、電子部品１は、コイルパターン５が回路基板２の主面に沿った面上に形成されており、回路基板２は、信号伝送線路がコイルパターン５の下方に位置しないように形成されている。【選択図】  図１
2010010550.tif 000002
【特許請求の範囲】
【請求項１】
絶縁基板の内部に信号伝送線路を有する回路基板の主面上にチップコイルから成る電子部品が実装されている電子部品の実装構造であって、前記電子部品は、コイルパターンが前記回路基板の主面に沿った面上に形成されており、前記回路基板は、前記信号伝送線路が前記コイルパターンの下方に位置しないように形成されている電子部品の実装構造。
【請求項２】
前記回路基板は、前記信号伝送線路が平面視で前記コイルパターンの内側に入り込まないように形成されている請求項１に記載の電子部品の実装構造。
【請求項３】
前記回路基板は、前記コイルパターンの下方の部位が絶縁基板部のみである請求項１または請求項２に記載の電子部品の実装構造。
【請求項４】
前記電子部品は、高周波信号が入力される請求項１乃至請求項３のいずれかに記載の電子部品の実装構造。
【請求項５】
前記電子部品は、矩形波の高周波信号が入力される請求項４に記載の電子部品の実装構造。
【請求項６】
前記電子部品は、１ＭＨｚ以上の高周波信号が入力される請求項４または請求項５に記載の電子部品の実装構造。
【請求項７】
前記電子部品は、電圧振幅が３Ｖ以上の高周波信号が入力される請求項４乃至６のいずれかに記載の電子部品の実装構造。
【請求項８】
前記信号伝送線路は、電圧振幅が１００ｍＶ以下の信号が伝送される請求項１乃至７のいずれかに記載の電子部品の実装構造。
【請求項９】
前記回路基板は、前記絶縁基板が樹脂から成る請求項１乃至請求項８のいずれかに記載の電子部品の実装構造。
【発明の詳細な説明】
【技術分野】
【０００１】
本発明は、絶縁基板の内部に信号伝送線路を有する回路基板の主面上にチップコイルから成る電子部品が実装されている電子部品の実装構造に関する。
【背景技術】
【０００２】
従来、回路基板の主面上にチップコイルから成る電子部品を実装する場合、図4に示すように、電子部品におけるコイルパターンが形成された面（積層面）が回路基板の主面に対して垂直になるようにして実装している。この場合、小さな直方体状あるいは立方体状の形状を有する電子部品は、回路基板の主面上に実装する際にコイルパターンの方向を間違え易い。そこで、直方体状の場合には幅、厚みに差を付ける、あるいは識別マークを設ける等の方法で、電子部品の実装方向を間違えないようにしている。そして、例えば、テープ・アセンブリ方式を用いて、テーピング時に電子部品のコイルパターンの方向が揃うようにしていた。
【０００３】
なお、図４において、１はチップコイルから成る電子部品、１ａは電子部品１の表面に形成され、コイルパターン５と入出力電極３ａとを電気的に接続する導電接続部、２は回路基板、３ａはコイルパターン５に高周波信号は入出力させる入出力電極、３ｂは回路基板２の他の主面側に形成された入出力電極、４ａは入出力電極３ａ，３ａ間に形成された中間導体層、４ｂは入出力電極３ｂ，３ｂ間に形成された中間導体層、５はコイルパターン、６は回路基板２の内部に形成された信号伝送線路等の内層導体層である。
【０００４】
中間導体層４ａは、コイルパターン５の内側と外側を周回するように発生した磁束（図４の破線部）をシールドする目的で設けられ、また、中間導体層４ｂは、外部の電磁波をシールドする目的で設けられる。
【特許文献１】特開平８−２９８２１２号公報
【発明の開示】
【発明が解決しようとする課題】
【０００５】
図４に示す従来の電子部品の実装構造においては、高周波信号の入力によってコイルパターン５において発生した交流磁界（高周波磁界）による磁束は大部分が周囲の空間に大きく広がり、電子部品１の周囲の他の電子部品に誘導電流等を生じさせて悪影響を与えるといった問題点がある。
【０００６】
そのため、電子部品１の周囲に密集させて他の電子部品を実装することが難しくなるといった問題点もある。
【０００７】
また、高周波信号の入力によってコイルパターン５によって発生した磁束のうち回路基板２側に発生した成分は、中間導体層４ａに誘導電流を発生させて中間導体層４ａと内層導体層との間に余分な浮遊容量を発生させ、その結果、信号伝送線路にノイズとして重畳されるという問題点がある。
【０００８】
本発明は、上記従来の問題点に鑑みて完成されたものであり、その目的は、チップコイルから成る電子部品の周囲の他の電子部品に誘導電流等を生じさせて悪影響を与えることを抑制して、電子部品の周囲に密集させて他の電子部品を実装することができ、また、コイルパターンによって発生した交流磁界による磁束が結果的に信号伝送線路にノイズとして重畳されることを抑制することである。
【課題を解決するための手段】
【０００９】
本発明の電子部品の実装構造は、絶縁基板の内部に信号伝送線路を有する回路基板の主面上にチップコイルから成る電子部品が実装されている電子部品の実装構造であって、前記電子部品は、コイルパターンが前記回路基板の主面に沿った面上に形成されており、前記回路基板は、前記信号伝送線路が前記コイルパターンの下方に位置しないように形成されているものである。
【００１０】
また、本発明の電子部品の実装構造は好ましくは、前記回路基板は、前記信号伝送線路が平面視で前記コイルパターンの内側に入り込まないように形成されている。
【００１１】
また、本発明の電子部品の実装構造は好ましくは、前記回路基板は、前記コイルパターンの下方の部位が絶縁基板部のみである。
【００１２】
また、本発明の電子部品の実装構造は好ましくは、前記電子部品は、高周波信号が入力される。
【００１３】
また、本発明の電子部品の実装構造は好ましくは、前記電子部品は、矩形波の高周波信号が入力される。
【００１４】
また、本発明の電子部品の実装構造は好ましくは、前記電子部品は、１ＭＨｚ以上の高周波信号が入力される。
【００１５】
また、本発明の電子部品の実装構造は好ましくは、前記電子部品は、電圧振幅が３Ｖ以上の高周波信号が入力される。
【００１６】
また、本発明の電子部品の実装構造は好ましくは、前記信号伝送線路は、電圧振幅が１００ｍＶ以下の信号が伝送される。
【００１７】
また、本発明の電子部品の実装構造は好ましくは、前記回路基板は、前記絶縁基板が樹脂から成る。
【発明の効果】
【００１８】
本発明の電子部品の実装構造は、絶縁基板の内部に信号伝送線路が形成されている回路基板の主面上にチップコイルから成る電子部品が実装されている電子部品の実装構造であって、電子部品は、コイルパターンが回路基板の主面に沿った面上に形成されており、回路基板は、信号伝送線路がコイルパターンの下方に位置しないように形成されていることから、高周波信号の入力によってコイルパターンにおいて発生した交流磁界による磁束は、その殆どが回路基板の絶縁基板部を通過するために、絶縁基板部でかなり減衰される。その結果、電子部品の周囲の他の電子部品に誘導電流等を生じさせて悪影響を与えることを大幅に抑制することができる。そのため、電子部品の周囲に密集させて他の電子部品を実装することが容易になる。
【００１９】
また、高周波信号の入力によってコイルパターンにおいて発生した交流磁界による磁束は、絶縁基板部でかなり減衰され、また、信号伝送線路がコイルパターンの下方に位置しないように形成されていることから、例えば、従来のように中間導体層に誘導電流を発生させて中間導体層と信号伝送線路との間に余分な浮遊容量を発生させ、信号伝送線路にノイズとして重畳されることが大幅に抑制される。
【００２０】
また、本発明の電子部品の実装構造は好ましくは、回路基板は、信号伝送線路が平面視でコイルパターンの内側に入り込まないように形成されていることから、コイルパターンにおいて発生した交流磁界による磁束の影響を信号伝送線路が受けることを、より有効に抑えることができる。
【００２１】
また、本発明の電子部品の実装構造は好ましくは、回路基板は、コイルパターンの下方の部位が絶縁基板部のみであることから、コイルパターンにおいて発生した交流磁界による磁束が絶縁基板部で減衰される効果をより向上させることができる。また、電子部品の下方に中間導体層等がないために、中間導体層等に誘導電流が発生して中間導体層等と信号伝送線路との間に余分な浮遊容量が発生し、信号伝送線路にノイズとして重畳されることが、より有効に抑制される。
【００２２】
また、本発明の電子部品の実装構造は好ましくは、電子部品は、高周波信号が入力されることから、高周波信号の入力によってコイルパターンにおいて交流磁界による磁束が発生し、コイルパターン近傍の導体に誘導電流を発生させ易いものであり、このような高周波型電子部品に対して本発明の構成は顕著な効果を奏する。
【００２３】
また、本発明の電子部品の実装構造は好ましくは、電子部品は、矩形波の高周波信号が入力されることから、矩形波の高周波信号の入力によってコイルパターンにおいて鋭く変調される交流磁界による磁束が発生し、コイルパターン近傍の導体に大きな誘導電流を発生させ易いものであり、このような高周波型電子部品に対して本発明の構成は顕著な効果を奏する。
【００２４】
また、本発明の電子部品の実装構造は好ましくは、電子部品は、１ＭＨｚ以上の高周波信号が入力されることから、高周波信号の入力によってコイルパターンにおいて交流磁界による磁束が発生し、コイルパターン近傍の導体に大きな誘導電流を発生させ易いものであり、このような高周波型電子部品に対してより本発明の構成は顕著な効果を奏する。
【００２５】
また、本発明の電子部品の実装構造は好ましくは、電子部品は、電圧振幅が３Ｖ以上の高周波信号が入力されることから、高周波信号の入力によってコイルパターンにおいて交流磁界による磁束が発生し、コイルパターン近傍の導体に大きな誘導電流を発生させ易いものであり、このような高周波型電子部品に対してより本発明の構成は顕著な効果を奏する。
【００２６】
また、本発明の電子部品の実装構造は好ましくは、信号伝送線路は、電圧振幅が１００ｍＶ以下の信号が伝送されることから、高周波信号の入力によってコイルパターンにおいて交流磁界による磁束が発生し、コイルパターン近傍の導体に誘導電流を発生させて信号伝送線路にノイズとして重畳され易いものであり、このような高周波型電子部品に対してより本発明の構成は顕著な効果を奏する。
【００２７】
また、本発明の電子部品の実装構造は好ましくは、回路基板は、絶縁基板が樹脂から成ることから、高分子構造の樹脂が、コイルパターンにおいて発生した交流磁界による磁束を減衰させる効果が高いため、上記の本発明の効果がより向上する。
【発明を実施するための最良の形態】
【００２８】
本実施の形態の電子部品の実装構造について以下に詳細に説明する。
【００２９】
図１は本実施の形態の電子部品の実装構造を示す断面図である。図１において、１はチップコイルから成る電子部品、１ａは電子部品１の表面に形成され、コイルパターン５と入出力電極３ａとを電気的に接続する導電接続部、２は回路基板、３ａはコイルパターン５に高周波信号は入出力させる入出力電極、３ｂは回路基板２の他の主面側に形成された入出力電極、５はコイルパターン、６は回路基板２の内部に形成された信号伝送線路等の内層導体層である。
【００３０】
本実施の形態の電子部品１の実装構造は、絶縁基板の内部に信号伝送線路が形成されている回路基板２の主面上にチップコイルから成る電子部品１が実装されている電子部品１の実装構造であって、電子部品１は、コイルパターン５が回路基板２の主面に沿った面上に形成されており、回路基板２は、信号伝送線路がコイルパターン５の下方に位置しないように形成されている。
【００３１】
上記の構成により、高周波信号の入力によってコイルパターン５において発生した交流磁界による磁束（図1の矢印付き破線部）は、その殆どが回路基板２の絶縁基板部を通過するために、絶縁基板部でかなり減衰される。その結果、電子部品１の周囲の他の電子部品に誘導電流等を生じさせて悪影響を与えることを大幅に抑制することができる。そのため、電子部品１の周囲に密集させて他の電子部品を実装することが容易になる。
【００３２】
また、高周波信号の入力によってコイルパターン５において発生した交流磁界による磁束は、絶縁基板部でかなり減衰され、また、信号伝送線路がコイルパターン５の下方に位置しないように形成されていることから、例えば、従来のように中間導体層に誘導電流を発生させて中間導体層と信号伝送線路との間に余分な浮遊容量を発生させ、信号伝送線路にノイズとして重畳されることが大幅に抑制される。
【００３３】
本実施の形態の電子部品１は、例えば、複数のセラミック層が積層され、セラミック層間にコイルパターン５を成す導体層が形成された積層構造を有するものであり、その形状は直方体状、立方体状であり、寸法は一辺が数ｍｍ程度である。
【００３４】
また、電子部品１は、セラミックスから成る基体の内部にコイルパターン５を有するものに限らず、プラスチック，ガラス，ガラスセラミックス等の絶縁体から成る基体の内部にコイルパターン５を有するものであってもよい。
【００３５】
コイルパターン５は、セラミックのグリーンシートにＡｇ系ペーストでコイルパターンを塗布し、グリーンシートを積層して焼成したものである。コイルパターン５の厚みは５〜１５μｍ程度であり、幅は５０〜２００μｍ程度である。
【００３６】
電子部品１は、表面形成された、コイルパターン５に接続されている導電接続部１ａが、入出力電極３ａにハンダ等の導電接続材を介して電気的に接続される。導電接続部１ａは、Ｎｉ−Ｓｎ等の材料から成り、電子部品１の表面に電気めっき法等によって形成される。
【００３７】
回路基板２は、電子部品１が実装される第1の主面に入出力電極３ａ、第1の主面と対向する第２の主面に入出力電極３ｂ、内部に信号伝送線路等の内層導体層６が形成されている。入出力電極３ａ、入出力電極３ｂ、内層導体層６は、Ｃｕ等の材料から成り、厚膜形成法、メッキ法等の薄膜形成法、メタライズ法等の方法によって形成される。入出力電極３ａ、入出力電極３ｂ、内層導体層６の厚みは、１０〜５０μｍ程度である。
【００３８】
入出力電極３ｂは、回路基板２の内部に形成された信号伝送線路に信号を入出力させるものである。
【００３９】
本実施の形態の電子部品１の実装構造は、回路基板２は、信号伝送線路が平面視でコイルパターン５の内側に入り込まないように形成されていることが好ましい。この場合、コイルパターン５において発生した交流磁界による磁束の影響を信号伝送線路が受けることを、より有効に抑えることができる。
【００４０】
また、信号伝送線路は、電子部品１に近くなるほど平面視でコイルパターン５の内側からより離れていることが好ましい。電子部品１に近くなるほど磁束の影響を受け易くなるからである。
【００４１】
また、本実施の形態の電子部品１の実装構造は、回路基板２は、コイルパターン５の下方の部位が絶縁基板部のみであることが好ましい。この場合、コイルパターン５において発生した交流磁界による磁束が絶縁基板部で減衰される効果をより向上させることができる。また、電子部品１の下方に中間導体層等がないために、中間導体層等に誘導電流が発生して中間導体層等と信号伝送線路との間に余分な浮遊容量が発生し、信号伝送線路にノイズとして重畳されることが、より有効に抑制される。
【００４２】
また、コイルパターン５の下方の絶縁基板部が、より磁界を吸収し減衰し易い樹脂等の材料から成ることが好ましい。この場合、コイルパターン５の下方に貫通孔を形成し、その貫通孔により磁界を吸収し減衰し易い樹脂等の材料を充填することができる。
【００４３】
また、本実施の形態の電子部品１の実装構造は、電子部品１は、高周波信号が入力されるものであることがよい。この場合、高周波信号の入力によってコイルパターン５において交流磁界による磁束が発生し、コイルパターン５近傍の導体に誘導電流を発生させ易いものであり、このような高周波型電子部品１に対して顕著な効果を奏する。
【００４４】
また、本実施の形態の電子部品１の実装構造は、電子部品１は、矩形波の高周波信号が入力されるものであることがよい。この場合、矩形波の高周波信号の入力によってコイルパターン５において鋭く変調される交流磁界による磁束が発生し、コイルパターン５近傍の導体に大きな誘導電流を発生させ易いものであり、このような高周波型電子部品１に対して本実施の形態の構成は顕著な効果を奏する。
【００４５】
矩形波の高周波信号が入力される電子部品１は、例えば、スイッチング機能を有するものである。
【００４６】
また、本実施の形態の電子部品の実装構造は、電子部品１は、１ＭＨｚ以上の高周波信号が入力されることがよい。この場合、高周波信号の入力によってコイルパターン５において交流磁界による磁束が発生し、コイルパターン５近傍の導体に大きな誘導電流を発生させ易いものであり、このような高周波型電子部品１に対して本実施の形態の構成はより顕著な効果を奏する。
【００４７】
高周波信号の周波数の上限は特に限定されないが、チップコイルから成る電子部品１の好ましい実用的な上限値は数ＧＨｚ程度である。
【００４８】
また、本実施の形態の電子部品の実装構造は好ましくは、電子部品は、電圧振幅が３Ｖ以上の高周波信号が入力されることから、高周波信号の入力によってコイルパターンにおいて交流磁界による磁束が発生し、コイルパターン近傍の導体に大きな誘導電流を発生させ易いものであり、このような高周波型電子部品に対して本実施の形態の構成はより顕著な効果を奏する。
【００４９】
高周波信号の電圧振幅の上限は特に限定されないが、チップコイルから成る電子部品１の好ましい実用的な上限値は数１００Ｖ程度である。
【００５０】
また、本実施の形態の電子部品の実装構造は好ましくは、信号伝送線路は、電圧振幅が１００ｍＶ以下の信号が伝送されることから、高周波信号の入力によってコイルパターンにおいて交流磁界による磁束が発生し、コイルパターン近傍の導体に誘導電流を発生させて信号伝送線路にノイズとして重畳され易いものであり、このような高周波型電子部品に対してより本実施の形態の構成は顕著な効果を奏する。
【００５１】
信号伝送線路を伝送する高周波信号の電圧振幅の下限は特に限定されないが、好ましい実用的な下限値は数μＶ程度である。
【００５２】
また、本実施の形態の電子部品の実装構造は好ましくは、回路基板は、絶縁基板が樹脂から成ることから、高分子構造の樹脂が、コイルパターンにおいて発生した交流磁界による磁束を減衰させる効果が高いため、上記の効果がより向上する。高分子構造の樹脂は、磁束が通過しても、磁気双極子が発生して特定方向に配向するようなことがなく、透磁性を高めるようなことがない。逆に、磁界を吸収し減衰させることになるため、本実施の形態の効果が向上することとなる。例えば、回路基板は、絶縁基板がガラエポ基板等の樹脂から成ることがよい。
【００５３】
また、回路基板は、絶縁基板がセラミックス，ガラスセラミックス等から成っていてもよい。
【００５４】
本実施の形態の電子部品１は、例えば、車載用のカメラモジュール等に組み込まれる回路基板に搭載されるものであるが、車載用のカメラモジュール等に限らず、種々の電気製品、電子製品の回路基板に搭載され得る。
【実施例】
【００５５】
本実施の形態の電子部品の実装構造の実施例について以下に説明する。
【００５６】
図１に示す電子部品の実装構造における各部品を以下のようにして作製した。
【００５７】
＜電子部品＞
アルミナセラミックスから成るセラミック層を１６層積層した積層構造を有する絶縁基体の内層に、Ａｇ系から成る螺旋状のコイルパターン５を、メタライズ法により形成した電子部品１を作製した。コイルパターン５は、セラミック層間に形成された方形状で環状の導体パターンをビアホール等の貫通導体で接続して螺旋状にしたものである。コイルパターン５を成す導体パターンの厚みは１８μｍ、幅は１５０μｍとした。
【００５８】
電子部品１の表面に、コイルパターン５と入出力電極３ａとを電気的に接続するためのＮｉ−Ｓｎから成る導電接続部１ａを、メタライズ法によって形成した。
【００５９】
コイルパターン５は、回路基板２の主面（第1の主面）に沿った面上に形成されており、図1のように磁束が上下方向に周回するものとした。
【００６０】
＜回路基板＞
樹脂から成る多層構造の絶縁基板を有し、電子部品１側の第１の主面に入出力電極３ａが形成され、第１の主面に対向する第２の主面に入出力電極３ｂが形成され、内部に信号伝送線路を含む内層導体層６が形成された回路基板２を準備した。
【００６１】
入出力電極３ａ，３ｂはＣｕから成り、露光エッチング法によって形成した。入出力電極３ａ，３ｂの厚みは３５μｍ程度とした。内層導体層６はＣｕから成り、露光エッチング法によって形成した。内層導体層６の厚みは１８μｍ程度とした。
【００６２】
また、回路基板２は、信号伝送線路がコイルパターン５の下方に位置しないように形成し、また、信号伝送線路が平面視でコイルパターン５の内側に入り込まないように形成した。さらに、回路基板２におけるコイルパターン５の下方の部位が絶縁基板部のみであるようにした。
【００６３】
電子部品１に、周波数１ＭＨｚ、電圧振幅６Ｖの矩形波の高周波信号を入力し、回路基板２内部の信号伝送線路に周波数４ＭＨｚ、電圧振幅１０ｍＶの高周波信号を伝送させた。このとき、電子部品１のコイルパターン５のインダクタンスは１１．３３μＨであり、信号伝送線路に重畳されたノイズのＳ／Ｎ比は−６０ｄＢと低い値であった。
【００６４】
（比較例１）
図２に示す電子部品の実装構造における各部品を以下のようにして作製した。
【００６５】
＜電子部品＞
コイルパターン５は、回路基板２の主面（第1の主面）に垂直な面上に形成されており、図２のように磁束が横方向に周回するものとした。他の構成は実施例と同様とした。
【００６６】
＜回路基板＞
実施例と同様の構成とした。
【００６７】
電子部品１に、周波数１ＭＨｚ、電圧振幅３Ｖの矩形波の高周波信号を入力し、回路基板２内部の信号伝送線路に周波数４ＭＨｚ、電圧振幅１０ｍＶの高周波信号を伝送させた。このとき、電子部品１のコイルパターン５のインダクタンスは１１．４０μＨであり、信号伝送線路に重畳されたノイズのＳ／Ｎ比は−６０ｄＢであった。
【００６８】
また、電子部品１のコイルパターン５による磁束が大部分横方向の空間に広がるため、電子部品１の周囲に他の電子部品を実装することが難しくなり、実施例に比較して、電子部品の実装密度が５％程度低下した。
【００６９】
（比較例２）
図３に示す電子部品の実装構造における各部品を以下のようにして作製した。
【００７０】
＜電子部品＞
実施例と同様の構成とした。
【００７１】
＜回路基板＞
信号伝送線路がコイルパターン５の下方に位置するように形成した。その他の構成は実施例と同様とした。
【００７２】
電子部品１に、周波数１ＭＨｚ、電圧振幅３Ｖの矩形波の高周波信号を入力し、回路基板２内部の信号伝送線路に周波数４ＭＨｚ、電圧振幅１０ｍＶの高周波信号を伝送させた。このとき、電子部品１のコイルパターン５のインダクタンスは９．５３μＨであり、信号伝送線路に重畳されたノイズのＳ／Ｎ比は−５０ｄＢであった。
【００７３】
（比較例３）
図４に示す電子部品の実装構造における各部品を以下のようにして作製した。
【００７４】
＜電子部品＞
コイルパターン５は、回路基板２の主面（第１の主面）に垂直な面上に形成されており、図４のように磁束が横方向に周回するものとした。他の構成は実施例と同様とした。
【００７５】
＜回路基板＞
信号伝送線路がコイルパターン５の下方に位置するように形成した。その他の構成は実施例と同様とした。
【００７６】
電子部品１に、周波数１ＭＨｚ、電圧振幅３Ｖの矩形波の高周波信号を入力し、回路基板２内部の信号伝送線路に周波数４ＭＨｚ、電圧振幅１０ｍＶの高周波信号を伝送させた。このとき、電子部品１のコイルパターン５のインダクタンスは１１．３３μＨであり、信号伝送線路に重畳されたノイズのＳ／Ｎ比は−６０ｄＢであった。
【００７７】
また、電子部品１のコイルパターン５による磁束が大部分横方向の空間に広がるため、電子部品１の周囲に他の電子部品を実装することが難しくなり、実施例に比較して、電子部品の実装密度が５％程度低下した。
【図面の簡単な説明】
【００７８】
【図１】本実施の形態の電子部品の実装構造を示す断面図である。
【図２】比較例１の電子部品の実装構造を示す断面図である。
【図３】比較例２の電子部品の実装構造を示す断面図である。
【図４】比較例３の電子部品の実装構造を示す断面図である。
【符号の説明】
【００７９】
１：電子部品
１ａ：導電接続部
２：回路基板
３ａ，３ｂ：入出力電極
５：コイルパターン
６：内層導体層
【図１】
2010010550.tif 000003
【図２】
2010010550.tif 000004
【図３】
2010010550.tif 000005
【図４】
2010010550.tif 000006